【手続補正書】
【提出日】平成28年8月12日(2016.8.12)
【手続補正１】
【補正対象書類名】特許請求の範囲
【補正対象項目名】全文
【補正方法】変更
【補正の内容】
【特許請求の範囲】
【請求項１】
複数の照明装置と、
前記複数の照明装置と無線通信を行う端末と
を具備する照明制御システムであって、
前記複数の照明装置の各々は、
自装置の状態を保持する状態保持部と、
自装置の識別子を保持する照明識別子保持部と、
自装置に対する制御指示を検出して、前記状態保持部に保持された状態を前記制御指示に応じた状態に更新する制御指示検出部と、
前記状態保持部に保持された状態に従って発光する発光部と、
前記制御指示検出部によって検出された前記制御指示に従って、前記状態保持部に保持された状態および前記照明識別子保持部に保持された識別子を含むＢｌｕｅｔｏｏｔｈ（登録商標）  Ｌｏｗ  Ｅｎｅｒｇｙ規格によるアドバタイジングＰＤＵ（Protocol Data Unit）を応答信号として送信する応答信号送信部と
を備え、
前記端末は、
前記複数の照明装置の全部または一部を制御対象の照明装置とする前記制御指示を含むＢｌｕｅｔｏｏｔｈ（登録商標）  Ｌｏｗ  Ｅｎｅｒｇｙ規格によるアドバタイジングＰＤＵを制御信号として送信する制御信号送信部と、
前記複数の照明装置の各々から前記応答信号を受信する応答信号受信部と、
前記応答信号に基づいて前記複数の照明装置の各々の状態を表示する表示部と
を備える
照明制御システム。
【請求項２】
前記制御信号送信部は、前記複数の照明装置を複数のグループのうちの何れかに分類して前記グループを単位として前記制御信号を送信する請求項１記載の照明制御システム。
【請求項３】
前記制御信号送信部は、前記制御対象の照明装置の調光状態を前記制御指示として含む前記制御信号を送信する請求項１記載の照明制御システム。
【請求項４】
前記制御信号送信部は、前記制御対象の照明装置の調色状態を前記制御指示として含む前記制御信号を送信する請求項１記載の照明制御システム。
【請求項５】
前記複数の照明装置の各々は、ユースケースに応じた自装置の状態の対応関係を保持し、
前記制御信号送信部は、前記ユースケースを前記制御指示として含む前記制御信号を送信し、
前記制御指示検出部は、前記状態保持部に保持された状態を前記制御信号に含まれる前記ユースケースに応じた状態に更新する
請求項１記載の照明制御システム。
【請求項６】
前記複数の照明装置の各々は、前記制御指示の操作を受け付ける操作受付部をさらに備える請求項１記載の照明制御システム。
【請求項７】
前記端末は、前記制御対象の照明装置に対する前記制御指示の操作を受け付ける操作受付部をさらに備え、
前記表示部および前記操作受付部は、タッチパネルにより構成される請求項１記載の照明制御システム。
【請求項８】
前記端末を複数備え、これら複数の端末の各々において前記複数の照明装置の各々の状態を表示する請求項１記載の照明制御システム。
【請求項９】
複数の照明装置の全部または一部を制御対象の照明装置とする制御指示を含むＢｌｕｅｔｏｏｔｈ（登録商標）  Ｌｏｗ  Ｅｎｅｒｇｙ規格によるアドバタイジングＰＤＵを制御信号として送信する制御信号送信部と、
前記複数の照明装置の各々の識別子および状態を含むＢｌｕｅｔｏｏｔｈ（登録商標）  Ｌｏｗ  Ｅｎｅｒｇｙ規格によるアドバタイジングＰＤＵを前記制御指示に対する応答信号として受信する応答信号受信部と、
前記応答信号に基づいて前記複数の照明装置の各々の状態を表示する表示部と
を具備する端末。
【請求項１０】
端末が、複数の照明装置の全部または一部を制御対象の照明装置とする制御指示を含むＢｌｕｅｔｏｏｔｈ（登録商標）  Ｌｏｗ  Ｅｎｅｒｇｙ規格によるアドバタイジングＰＤＵを制御信号として送信する制御信号送信手順と、
前記複数の照明装置の各々が、自装置に対する前記制御指示を検出して、状態保持部に保持された自装置の状態を前記制御指示に応じた状態に更新する制御指示検出手順と、
前記複数の照明装置の各々が、前記状態保持部に保持された状態に従って発光する発光手順と、
前記複数の照明装置の各々が、前記制御指示検出手順によって検出された前記制御指示に従って、前記状態保持部に保持された状態および照明識別子保持部に保持された自装置の識別子を含むＢｌｕｅｔｏｏｔｈ（登録商標）  Ｌｏｗ  Ｅｎｅｒｇｙ規格によるアドバタイジングＰＤＵを応答信号として送信する応答信号送信手順と、
前記端末が、前記複数の照明装置の各々から前記応答信号を受信する応答信号受信手順と、
前記端末が、前記応答信号に基づいて前記複数の照明装置の各々の状態を表示する表示手順と
を具備する照明制御方法。
【請求項１１】
前記複数の照明装置の各々は、ユースケースに応じた自装置の状態の対応関係を保持し、
前記制御信号送信手順において、前記ユースケースを前記制御指示として含む前記制御信号を送信し、
前記制御指示検出手順において、前記状態保持部に保持された状態を前記制御信号に含まれる前記ユースケースに応じた状態に更新する
請求項１０記載の照明制御方法。
【手続補正２】
【補正対象書類名】明細書
【補正対象項目名】０００６
【補正方法】変更
【補正の内容】
【０００６】
本発明は、上述の問題点を解消するためになされたものであり、その第１の側面は、複数の照明装置と、上記複数の照明装置と無線通信を行う端末とを具備する照明制御システムであって、上記複数の照明装置の各々は、自装置の状態を保持する状態保持部と、自装置の識別子を保持する照明識別子保持部と、自装置に対する制御指示を検出して、上記状態保持部に保持された状態を上記制御指示に応じた状態に更新する制御指示検出部と、上記状態保持部に保持された状態に従って発光する発光部と、上記制御指示検出部によって検出された上記制御指示に従って、上記状態保持部に保持された状態および上記照明識別子保持部に保持された識別子を含むＢｌｕｅｔｏｏｔｈ（登録商標）  Ｌｏｗ  Ｅｎｅｒｇｙ規格によるアドバタイジングＰＤＵ（Protocol Data Unit）を応答信号として送信する応答信号送信部とを備え、上記端末は、上記複数の照明装置の全部または一部を制御対象の照明装置とする上記制御指示を含むＢｌｕｅｔｏｏｔｈ（登録商標）  Ｌｏｗ  Ｅｎｅｒｇｙ規格によるアドバタイジングＰＤＵを制御信号として送信する制御信号送信部と、上記複数の照明装置の各々から上記応答信号を受信する応答信号受信部と、上記応答信号に基づいて上記複数の照明装置の各々の状態を表示する表示部とを備える照明制御システムおよびその照明制御方法である。これにより、複数の照明装置に対して状態を更新する制御指示を行い、それに応じた状態を端末に表示させるという作用をもたらす。
【手続補正３】
【補正対象書類名】明細書
【補正対象項目名】０００７
【補正方法】変更
【補正の内容】
【０００７】
また、本発明の第２の側面は、複数の照明装置の全部または一部を制御対象の照明装置とする制御指示を含むＢｌｕｅｔｏｏｔｈ（登録商標）  Ｌｏｗ  Ｅｎｅｒｇｙ規格によるアドバタイジングＰＤＵを制御信号として送信する制御信号送信部と、上記複数の照明装置の各々の識別子および状態を含むＢｌｕｅｔｏｏｔｈ（登録商標）  Ｌｏｗ  Ｅｎｅｒｇｙ規格によるアドバタイジングＰＤＵを上記制御指示に対する応答信号として受信する応答信号受信部と、上記応答信号に基づいて上記複数の照明装置の各々の状態を表示する表示部とを具備する端末である。これにより、端末から複数の照明装置に対して状態を更新する制御指示を行い、それに応じた複数の照明装置の状態を端末に表示させるという作用をもたらす。